(57)【特許請求の範囲】
【請求項１】
平面部とこの周部に四辺を有する板状の天板部と、前記四辺それぞれから略垂直に折曲げられて形成された複数の側板部により一体的に形成され、前記天板部が支持台の上端面に接触することにより、前記支持台に支持されるフロアパネルであって、
前記側板部が折曲げられて前記側板部の下端部に折曲部が形成され、
前記側板部に前記折曲部を介して連続すると共に、前記側板部との間の角度が略直角になるような先端板部が形成され、
前記先端板部の前記折曲部と連続する端部とは反対側の先端部は、前記折曲部より前記平面部の中央部寄りの位置に配置された
ことを特徴とするフロアパネル。
【発明の詳細な説明】
【技術分野】
【０００１】
本発明は、フリーアクセスフロアに用いられるフロアパネルに関するものである。
【背景技術】
【０００２】
本発明のフロアパネルは、フリーアクセスフロアに用いられるものである。フリーアクセスフロアのフロアパネルは、建築構造物の一部を構成するコンクリート床面の上方に、支持台を介してその床面から空間を隔てて第２の床面を形成するために設けられるものである（例えば、特許文献１参照）。【０００３】
図１２から図１８は、従来のフロアパネル２について説明するために参照する図である。ここで、図１２は、従来のフロアパネル２を用いたフリーアクセスフロア４の敷設作業の途中段階における上面図であり、図１３は、図１２におけるフリーアクセスフロア４の側面の一部を拡大した部分拡大側面図である。【０００４】
従来のフロアパネル２は、図１３に示すように、建築構造物の一部を構成するコンクリート材により形成された床面３上に、連結部材８を介して立設する支持台６と共にフリーアクセスフロア４を構成するようになっていた。【０００５】
すなわち、連結部材８は、図１２に示すように、同図中上下左右に３列ずつ並んで配置された９つの支持台６を支持する９つの支持部１２と、これら９つの支持部１２を図中上下方向又は左右方向に互いに連結する連結部１０を備えて構成されていた。【０００６】
そして、連結部材８のそれぞれは、その外周部に配置された支持部１２に支持された支持台６と、この支持台６に対向する隣りの別の連結部材８の支持部１２に支持された支持台６との互いの中心部間の間隔が、フロアパネル２の一辺の長さ寸法とほぼ同じ長さになるように、床面３上において互いに離れて配置されていた。【０００７】
支持台６は、図１３に示すように、その下端部が連結部材８の支持部１２に形成された凹部に上方から嵌入することにより、連結部材８を介して床面３上に並べられて、立設して配置されていた。【０００８】
支持台６のそれぞれは、図１２中上下左右に隣接する別の支持台６との互いの中心部間の間隔が、フロアパネル２の一辺の長さ寸法とほぼ同じ長さになるように、互いに離れて配置されていた。【０００９】
支持台６は、図１４にその上面図を示すように、その上端面６ａから同図中紙面奥側に深さを有するように開口して、後述するフロアパネル２の側板部１６に係合可能な４本の溝部６ｂが形成されていた。【００１０】
支持台６に形成された４本の溝部６ｂの内の２本の溝部６ｂは、図１４中上下方向に互いに略平行に伸びるように配置され、他の２本の溝部６ｂは、同図中左右方向に互いに略平行に伸びるように配置され、上記上下方向に伸びる２本の溝部６ｂと、支持台６の上端面６ａ中央部において直交していた。【００１１】
そして、支持台６の４本の溝部６ｂは、その長さ途中部において、上記溝部６ｂの片側の側面部から溝部６ｂの内側に突出するリブ６ｃが形成されていた。このリブ６ｃは、弾力性及び可撓性を有しており、リブ６ｃを押圧して撓ませることにより元の形状に戻ろうとする反発力（押圧力）を発生するようになっていた。【００１２】
従来のフロアパネル２は、１枚の金属製の板状部材をプレス加工することによりその形状が形成されており、図１５に示すように、略正方形の上面１４ａを有する板状に形成された天板部１４と、この天板部１４の四辺より略垂直下方に折曲げられて形成された４つの側板部１６（図１８参照）を備えるよう構成されていた。【００１３】
そして、従来のフロアパネル２は、天板部１４の一辺に沿うように伸びて、その上面１４ａよりその厚さ方向の裏側に凹んだ長溝部１４ｂが２つ形成されていた。これら２つの長溝部１４ｂは、図１５中上下方向に互いに間隔を置いて略平行に配置されていた。【００１４】
また、従来のフロアパネル２は、その天板部１４の四辺それぞれにおいて、その下方の側板部１６と共に水平方向内側に略矩形状に切り欠かれたような開口形状を有し、天板部１４の厚さ方向を貫通する開口部１４ｃが形成されていた。【００１５】
図１６に示すように、従来のフロアパネル２は、その側板部１６の長さ方向（同図中上下方向）中央部に、その両端部の段差面１６ａよりその高さ方向（同図中左右方向）の寸法差が大きくなるように突出した突出部１６ｂが形成されていた。【００１６】
このような従来のフロアパネル２は、図１７に示すように、その側板部１６の段差面１６ａが形成された長さ方向の端部が、支持台６の溝部６ｂに図中上方から嵌入して、天板部１４の上面１４ａの裏面が支持台６の上端面６ａに接触することにより、床面３上の所定の高さ位置に着脱自在に支持されていた。【００１７】
このとき、その長さが互いに直交するように隣接する一対の側板部１６の端部が、支持台６の、図１４の上端面６ａの９０度毎に分割される四分の一の領域の、それに隣り合う領域側の部分に設けられた、互いに直交するＬ字状に形成された溝部６ｂ内に嵌入し、上記一対の側板部１６は、フロアパネル２が支持台６から容易に上方に抜け出さないように、支持台６の溝部６ｂの内側に形成されたリブ６ｃによりその側方から押圧されていた。【００１８】
図１２に示すように、従来のフロアパネル２は、１つの連結部材８に支持された９つの支持台６上に、互いの天板部１４の隅部を突き合わせるようにして、図中上下方向及び左右方向のそれぞれに２枚ずつ計４枚並べて載置されていた。【００１９】
また、図示してはいないが、図１２中互いに間隔を置いて配置された複数のフロアパネル２の間を埋めるように別のフロアパネル２が、上記互いに間隔を置いて配置された複数のフロアパネル２より水平方向外側に突出している支持台６の上端面６ａ上に載置されていた。【００２０】
このため、従来のフロアパネル２は、それを用いたフリーアクセスフロア４の敷設作業が完了すると、図１２中上下及び左右に隙間無く並んで配置されて、床面３の上方に空間を隔てて第２の床面を形成するようになっていた。【００２１】
このような従来のフロアパネル２は、１枚の金属製の板状部材をプレス加工することによりその形状が形成されるので、その構造が簡単であり、その製造費用の高額化を防止することができた。【００２２】
また、従来のフロアパネル２は、フリーアクセスフロア４に用いられた場合に、フロアパネル２の天板部１４と床面３との間の空間に配線等のケーブルを配置することができるようになっていた。
【先行技術文献】
【特許文献】
【００２３】
【特許文献１】特許第２７７８５３８号公報
【発明の概要】
【発明が解決しようとする課題】
【００２４】
しかしながら、前記従来のフロアパネル２は、所定形状に切断された板状部材をそのままプレス加工することによりその形状が形成されているため、図１８に示すように、その側板部１６の同図中左下端に尖った先端角部１６ｃが形成されるので、フロアパネル２と床面３との間の空間に配置された配線等のケーブルの長さ途中部が、フロアパネル２の側板部１６の先端角部１６ｃに接触して、そのケーブルの先端角部１６ｃとの接触部が損傷を受けて事故を起こすおそれがあるという問題があった。【００２５】
そこで本発明は、上記問題点に鑑みて、フロアパネルと床面との間の空間に配置された配線等のケーブルが、フロアパネルの先端角部との接触により損傷を受けることを防止することができると共に、その構造が簡単であり、その製造費用の高額化をも防止することができるフロアパネルを提供することを課題とするものである。
【課題を解決するための手段】
【００２６】
上記課題を解決するために、本発明によるフロアパネルは、
平面部とこの周部に四辺を有する板状の天板部と、前記四辺それぞれから略垂直に折曲げられて形成された複数の側板部により一体的に形成され、前記天板部が支持台の上端面に接触することにより、前記支持台に支持されるフロアパネルであって、
前記側板部が折曲げられて前記側板部の下端部に折曲部が形成され、
前記側板部に前記折曲部を介して連続すると共に、前記側板部との間の角度が略直角になるような先端板部が形成され、
前記先端板部の前記折曲部と連続する端部とは反対側の先端部は、前記折曲部より前記平面部の中央部寄りの位置に配置されたことを特徴とするものである。
【発明の効果】
【００３０】
このような本発明のフロアパネルによれば、
平面部とこの周部に四辺を有する板状の天板部と、前記四辺それぞれから折曲げられて形成された複数の側板部を備え、支持台に支持されてフリーアクセスフロアを構成するフロアパネルであって、
前記側板部が折曲げられて前記側板部の下端部に折曲部が形成されたことにより、
フロアパネルと床面との間の空間に配置された配線等のケーブルが、フロアパネルの先端角部との接触により損傷を受けることを防止することができると共に、フロアパネルの構造が簡単であり、その製造費用の高額化をも防止することができる。【００３１】
また、本発明のフロアパネルによれば、
平面部とこの周部に四辺を有する板状の天板部と、前記四辺それぞれから折曲げられて形成された複数の側板部を備え、支持台に支持されてフリーアクセスフロアを構成するフロアパネルであって、
前記側板部の下端部にＲ加工が施されて曲面部が形成されたことにより、
フロアパネルと床面との間の空間に配置された配線等のケーブルが、フロアパネルの先端角部との接触により損傷を受けることを防止することができると共に、フロアパネルの構造が簡単であり、その製造費用の高額化をも防止することができる。【００３２】
また、本発明のフロアパネルによれば、
平面部とこの周部に四辺を有する板状の天板部と、前記四辺それぞれから折曲げられて形成された複数の側板部を備え、支持台に支持されてフリーアクセスフロアを構成するフロアパネルであって、
前記側板部の下端部に面取り加工が施されて前記側板部の側面及び／又は下端面に対して傾斜した傾斜面部が形成されたことにより、
フロアパネルと床面との間の空間に配置された配線等のケーブルが、フロアパネルの先端角部との接触により損傷を受けることを防止することができると共に、フロアパネルの構造が簡単であり、その製造費用の高額化をも防止することができる。
【図面の簡単な説明】
【００３３】
【図１】本発明の第１の実施の形態に係るフロアパネル４０の上面図である。
【図２】図１におけるフロアパネル４０の側面図である。
【図３】図１におけるフロアパネル４０のＢ−Ｂ線矢視断面図である。
【図４】本発明の第２の実施の形態に係るフロアパネル５０を示す図であって、図１におけるフロアパネル４０のＢ−Ｂ線矢視断面図に相当する断面図である。
【図５】本発明の第３の実施の形態に係るフロアパネル６０を示す図であって、図１におけるフロアパネル４０のＢ−Ｂ線矢視断面図に相当する断面図である。
【図６】本発明の第４の実施の形態に係るフロアパネル７０を示す図であって、図１におけるフロアパネル４０のＢ−Ｂ線矢視断面図に相当する断面図である。
【図７】本発明の第５の実施の形態に係るフロアパネル８０を示す図であって、図１におけるフロアパネル４０のＢ−Ｂ線矢視断面図に相当する断面図である。
【図８】本発明の第６の実施の形態に係るフロアパネル９０の上面図である。
【図９】図８におけるフロアパネル９０の側面図である。
【図１０】本発明の第７の実施の形態に係るフロアパネル１００を示す図であって、図１におけるフロアパネル４０のＢ−Ｂ線矢視断面図に相当する断面図である。
【図１１】本発明の第８の実施の形態に係るフロアパネル１１０を示す図であって、図１におけるフロアパネル４０のＢ−Ｂ線矢視断面図に相当する断面図である。
【図１２】フロアパネル２又は４０を用いて構成されたフリーアクセスフロア４又は４２の敷設作業の途中段階を示す上面図である。
【図１３】図１２におけるフリーアクセスフロア４又は４２の側面の一部を拡大して示す部分拡大側面図である。
【図１４】図１２における支持台６の拡大上面図である。
【図１５】従来のフロアパネル２の上面図である。
【図１６】図１５における従来のフロアパネル２の側面図である。
【図１７】図１２における従来のフロアパネル２を支持台６に取付ける作業を説明するための図であって、従来のフリーアクセスフロア４の組立て側面図である。
【図１８】図１５における従来のフロアパネル２のＡ−Ａ線矢視断面図である。
【発明を実施するための形態】
【００３４】
以下、本発明に係るフロアパネルを実施するための形態について、図面に基づいて具体的に説明する。
【００３５】
図１から図３及び図１２から図１４は、本発明の第１の実施の形態に係るフロアパネル４０について説明するために参照する図である。以下、前記従来のフロアパネル２と同様の部分には同じ符号を付して説明し、従来と同様の構成についての重複する説明は一部を除き省略する。
【００３６】
本実施の形態に係るフロアパネル４０は、図１８に示す前記従来のフロアパネル２の側板部１６の代わりに、図３に示すような、側板部４６及び先端板部４８を備えている点において、前記従来のフロアパネル２とは著しく異なるものである。
【００３７】
すなわち、本実施の形態に係るフロアパネル４０は、図１２及び図１３に示すように、建築構造物の一部を構成するコンクリート材により形成された床面３上に、連結部材８を介して立設する支持台６と共にフリーアクセスフロア４２を構成するようになっている。
【００３８】
本実施の形態に係るフロアパネル４０は、１枚の金属製の板状部材をプレス加工することによりその形状が形成されており、図１に示すように、略正方形の上面４４ａを有する板状に形成された天板部４４（平面部）と、この天板部４４の四辺より略垂直下方に折曲げられて形成された４つの側板部４６（図３参照）と、４つの側板部４６のそれぞれに折曲部４６ｃ（図３参照）を介して連続する４つの先端板部４８を備えて構成されている。
【００３９】
そして、フロアパネル４０は、天板部４４の一辺に沿うように伸びて、その上面４４ａよりその厚さ方向の裏側に凹んだ長溝部４４ｂが２つ形成されている。これらの２つの長溝部４４ｂは、図１中上下方向に互いに間隔を置いて略平行に配置されている。
【００４０】
また、フロアパネル４０は、その天板部４４の四辺それぞれにおいて、図１５に示す前記従来のフロアパネル２の開口部１４ｃと同様に、その下方の側板部４６と共に水平方向内側に略矩形状に切り欠かれたような開口形状を有し、天板部４４の厚さ方向を貫通する開口部４４ｃが形成されている。
【００４１】
図２に示すように、フロアパネル４０は、天板部４４から直角に折曲げられて連続する側板部４６の、長さ方向（同図中上下方向）中央部に、その両端部の段差面４６ａよりその高さ方向（同図中左右方向）の寸法差が大きくなるように突出した突出部４６ｂが形成されている。
【００４２】
図３においては、説明の便宜上、フロアパネル４０の側板部４６の突出部４６ｂと、側板部４６の段差面４６ａより図中上方に位置する板部とを、破線により部分ごとに区切るように描かれているが、図２に示すように、実際にはこれらを区切る境界のようなものはなく、全体的に連続して形成されている。
【００４３】
側板部４６の突出部４６ｂは、図３に示すように、その下端部の折曲部４６ｃにおいて折曲げられて、折曲部４６ｃより先端部寄りに形成された先端板部４８と折曲部４６ｃを介して連続するようになっている。この側板部４６の折曲部４６ｃは、その断面形状が略Ｕ字状に形成されている。
【００４４】
フロアパネル４０の先端板部４８は、側板部４６の突出部４６ｂが折曲部４６ｃにおいて折曲げられることにより、その折曲部４６ｃと連続する端部とは反対側の、先端角部４８ａを有する先端部が、天板部４４の上面４４ａから折曲部４６ｃの最下端までの距離（最短距離）より短い距離だけ天板部４４の上面４４ａから離れて配置されている。
【００４５】
また、フロアパネル４０の先端板部４８は、側板部４６より図３中右側に配置されている。換言すると、先端板部４８は、側板部４６の内側（天板部４４の中央部寄り）に配置されている。
【００４６】
したがって、フロアパネル４０は、従来のフロアパネル２の側板部１６の先端角部１６ｃに相当する部分である先端板部４８の先端角部４８ａが、折曲部４６ｃの最下端より天板部４４の上面４４ａ寄りに配置されると共に、天板部４４から直角に折曲げられて連続する側板部４６より内側に配置されている。
【００４７】
また、フロアパネル４０は、図１８中の従来のフロアパネル２の先端角部１６ｃが形成された側板部１６の下端部に相当する部分には、図３に示すように、その断面形状が略Ｕ字状でその外形輪郭が円弧曲面状の折曲部４６ｃが形成されている。
【００４８】
また、フロアパネル４０は、図１７に示す従来のフロアパネル２と同様に、段差面４６ａが形成されたその側板部４６の長さ方向の端部が、支持台６の溝部６ｂに上方から嵌入して、天板部４４の裏面が支持台６の上端面６ａに接触することにより、床面３上の所定の高さ位置に着脱自在に支持されている。
【００４９】
このとき、その長さが互いに直交するように隣接する一対の側板部４６の端部が、支持台６の、図１４の上端面６ａの９０度毎に分割される四分の一の領域の、それに隣り合う領域側の部分に設けられた、互いに直交するＬ字状に形成された溝部６ｂ内に嵌入し、上記一対の側板部４６は、フロアパネル４０が支持台６から容易に上方に抜け出さないように、支持台６の溝部６ｂの内側に形成されたリブ６ｃによりその側方から押圧されている。
【００５０】
図１２に示すように、フロアパネル４０は、従来のフロアパネル２と同様に、１つの連結部材８に支持された９つの支持台６上に、互いの天板部４４の隅部を突き合わせるようにして、図中上下方向及び左右方向のそれぞれに２枚ずつ計４枚並べて載置されている。
【００５１】
また、図示してはいないが、図１２中互いに間隔を置いて配置された複数のフロアパネル４０の間を埋めるように別のフロアパネル４０が、上記互いに間隔を置いて配置された複数のフロアパネル４０より水平方向外側に突出している支持台６の上端面６ａ上に載置されている。
【００５２】
このため、フロアパネル４０は、それを用いたフリーアクセスフロア４２の敷設作業が完了すると、図１２中上下及び左右に隙間無く並んで配置されて、床面３の上方に空間を隔てて第２の床面を形成するようになっている。
【００５３】
本実施の形態に係るフロアパネル４０は、図１８中の従来のフロアパネル２の先端角部１６ｃが形成された側板部１６の下端部に相当する部分に折曲部４６ｃが形成され、その先端板部４８の先端角部４８ａが、折曲部４６ｃの最下端より天板部４４の上面４４ａ寄りに配置されると共に、側板部４６より内側に配置されているため、フロアパネル４０と床面３との間の空間に配置された配線等のケーブルの長さ途中部が、先端板部４８の先端角部４８ａに接触することを防止することができる。
【００５４】
このため、本実施の形態に係るフロアパネル４０は、床面３との間の空間に配置された配線等のケーブルが、その先端板部４８の先端角部４８ａとの接触により損傷を受けて事故を起こすことを防止することができる。
【００５５】
また、本実施の形態に係るフロアパネル４０は、側板部４６の折曲部４６ｃが形成されることにより、その断面係数及び断面二次モーメントが高くなるので、フロアパネル４０のたわみを抑えることができる。
【００５６】
また、本実施の形態に係るフロアパネル４０は、所定形状に切断された板状部材をそのままプレス加工することにより、側板部４６の折曲部４６ｃを含めたその形状が形成されているので、その構造が簡単であり、その製造費用の高額化を防止することができる。
【００５７】
以上に説明したように、本実施の形態に係るフロアパネル４０によれば、床面３との間の空間に配置された配線等のケーブルが、その先端角部４８ａとの接触により損傷を受けることを防止することができると共に、その構造が簡単であり、その製造費用の高額化をも防止することができる。
【００５８】
また、本実施の形態に係るフロアパネル４０によれば、フロアパネル４０のたわみを抑えることができる。
【００５９】
図４は、本発明の第２の実施の形態に係るフロアパネル５０について説明するために参照する図である。
【００６０】
本実施の形態に係るフロアパネル５０は、前記第１の実施の形態における側板部４６の折曲部４６ｃ及び先端板部４８の代わりに、図４に示すような、側板部５２の折曲部５２ｃ及び先端板部５４を備えている点において、前記第１の実施の形態に係るフロアパネル４０とは異なるものである。
【００６１】
すなわち、フロアパネル５０の側板部５２は、図４に示すように、その突出部５２ｂの下端部の折曲部５２ｃにおいて、先端板部５４が側板部５２の内側になるよう折曲げられ、その断面形状が略レの字状に形成されている点において、前記第１の実施の形態に係る側板部４６とは異なるものである。
【００６２】
また、フロアパネル５０の側板部５２の段差面５２ａ、突出部５２ｂ及び先端板部５４の先端角部５４ａは、折曲部５２ｃにより各々の位置関係が若干異なる点以外は、前記第１の実施の形態に係る側板部４６の段差面４６ａ、突出部４６ｂ及び先端板部４８の先端角部４８ａと同様のものである。
【００６３】
図４においては、説明の便宜上、フロアパネル５０の側板部５２の突出部５２ｂと、側板部５２の段差面５２ａより図中上方に位置する板部とを、破線により部分ごとに区切るように描かれているが、前記第１の実施の形態における側板部４６と同様に、実際にはこれらを区切る境界のようなものはなく、全体的に連続して形成されている。この点については、後述する図５、図１０及び図１１における側板部６２，１０２，１１２においても同様である。
【００６４】
図４に示すように、フロアパネル５０の側板部５２は、その突出部５２ｂの下端部に折曲部５２ｃが形成されることにより、側板部５２と先端板部５４との間の角度が鋭角になっている。
【００６５】
このため、フロアパネル５０の先端板部５４は、その折曲部５２ｃと連続する端部とは反対側の、先端角部５４ａを有する先端部が、天板部４４の上面４４ａから折曲部５２ｃの最下端までの距離より短い距離だけ天板部４４の上面４４ａから離れて配置されている。
【００６６】
また、フロアパネル５０は、前記従来のフロアパネル２の側板部１６の先端角部１６ｃに相当する部分である、先端板部５４の先端角部５４ａが、折曲部５２ｃの最下端より天板部４４の上面４４ａ寄りに配置されると共に、側板部５２より内側に配置されている。
【００６７】
また、フロアパネル５０は、図１８中の前記従来のフロアパネル２の先端角部１６ｃが形成された側板部１６の下端部に相当する部分には、その断面形状が略レの字状に形成されるようにその外形輪郭が円弧曲面状の折曲部５２ｃが形成されている。
【００６８】
このため、本実施の形態に係るフロアパネル５０は、床面３との間の空間に配置された配線等のケーブルが、その先端板部５４の先端角部５４ａと接触することはないので、そのケーブルが損傷を受けて事故を起こすことを防止することができる。
【００６９】
また、本実施の形態に係るフロアパネル５０は、所定形状に切断された板状部材をそのままプレス加工することにより、側板部５２の折曲部５２ｃを含めたその形状が形成されているので、その構造が簡単であり、その製造費用の高額化を防止することができる。
【００７０】
したがって、本実施の形態に係るフロアパネル５０によれば、前記第１の実施の形態に係るフロアパネル４０と同様に、床面３との間の空間に配置された配線等のケーブルが、先端板部５４の先端角部５４ａとの接触により損傷を受けることを防止することができると共に、その構造が簡単であり、その製造費用の高額化をも防止することができる。
【００７１】
また、本実施の形態に係るフロアパネル５０によれば、側板部５２の折曲部５２ｃが形成されることにより、その断面係数及び断面二次モーメントが高くなるので、フロアパネル５０のたわみを抑えることができる。
【００７２】
図５は、本発明の第３の実施の形態に係るフロアパネル６０について説明するために参照する図である。
【００７３】
本実施の形態に係るフロアパネル６０は、前記第２の実施の形態における側板部５２の折曲部５２ｃ及び先端板部５４の代わりに、図５に示すような、側板部６２の折曲部６２ｃ及び先端板部６４を備えている点において、前記第２の実施の形態に係るフロアパネル５０とは異なるものである。
【００７４】
すなわち、フロアパネル６０の側板部６２は、図５に示すように、その突出部６２ｂの下端部の折曲部６２ｃにおいて、先端板部６４が側板部６２の内側になるよう折曲げられ、その断面形状が略Ｌの字状に形成されている点において、前記第２の実施の形態に係る側板部５２とは異なるものである。
【００７５】
また、フロアパネル６０の側板部６２の段差面６２ａ、突出部６２ｂ及び先端板部６４の先端角部６４ａは、折曲部６２ｃにより各々の位置関係が若干異なる点以外は、前記第２の実施の形態に係る側板部５２の段差面５２ａ、突出部５２ｂ及び先端板部５４の先端角部５４ａと同様のものである。
【００７６】
図５に示すように、フロアパネル６０の側板部６２は、その突出部６２ｂの下端部に折曲部６２ｃが形成されることにより、側板部６２と先端板部６４との間の角度が略直角になっている。
【００７７】
このため、フロアパネル６０の先端板部６４は、その折曲部６２ｃと連続する端部とは反対側の、先端角部６４ａを有する先端部が、天板部４４の上面４４ａから折曲部６２ｃの最下端までの距離と略同一又はそれより短い距離だけ天板部４４の上面４４ａから離れて配置されている。
【００７８】
また、フロアパネル６０は、前記従来のフロアパネル２の側板部１６の先端角部１６ｃに相当する部分である、先端板部６４の先端角部６４ａが、天板部４４の上面４４ａから折曲部６２ｃの最下端までの距離と略同一の距離だけ、天板部４４の上面４４ａから離れて配置されると共に、側板部６２より内側に配置されている。
【００７９】
また、フロアパネル６０は、図１８中の前記従来のフロアパネル２の先端角部１６ｃが形成された側板部１６の下端部に相当する部分には、その断面形状が略Ｌの字状に形成されるように、その外形輪郭が９０度の円弧曲面状の折曲部６２ｃが形成されている。
【００８０】
このため、本実施の形態に係るフロアパネル６０は、床面３との間の空間に配置された配線等のケーブルが、その先端板部６４の先端角部６４ａとの接触により損傷を受けて事故を起こすことを防止することができる。
【００８１】
また、本実施の形態に係るフロアパネル６０は、所定形状に切断された板状部材をそのままプレス加工することにより、側板部６２の折曲部６２ｃを含めたその形状が形成されているので、その構造が簡単であり、その製造費用の高額化を防止することができる。
【００８２】
したがって、本実施の形態に係るフロアパネル６０によれば、前記第２の実施の形態に係るフロアパネル５０と同様に、床面３との間の空間に配置された配線等のケーブルが、先端板部６４の先端角部６４ａとの接触により損傷を受けることを防止することができると共に、その構造が簡単であり、その製造費用の高額化をも防止することができる。
【００８３】
また、本実施の形態に係るフロアパネル６０によれば、側板部６２の折曲部６２ｃが形成されることにより、その断面係数及び断面二次モーメントが高くなるので、フロアパネル６０のたわみを抑えることができる。
【００８４】
図６は、本発明の第４の実施の形態に係るフロアパネル７０について説明するために参照する図である。
【００８５】
本実施の形態に係るフロアパネル７０は、前記第３の実施の形態における側板部６２の折曲部６２ｃ及び先端板部６４の先端角部６４ａの代わりに、図６に示すような、側板部７２の先端部に曲面部７２ｃを備えている点において、前記第３の実施の形態に係るフロアパネル６０とは異なるものである。
【００８６】
すなわち、フロアパネル７０の側板部７２は、図６に示すように、その突出部７２ｂがその下端部で折曲げられることなく、段差面７２ａより同図中下方に真直ぐ伸びて形成されており、その先端部に切削等によりＲ加工が施されてその外形輪郭が円弧曲面状の曲面部７２ｃが形成されている点において、前記第３の実施の形態に係る側板部６２とは異なるものである。
【００８７】
本実施の形態に係るフロアパネル７０は、その側板部７２の先端部の曲面部７２ｃの外形輪郭が円弧曲面状なので、床面３との間の空間に配置された配線等のケーブルが接触により損傷を受けることを防止することができる。
【００８８】
このような本実施の形態に係るフロアパネル７０は、所定形状に切断された板状部材をそのままプレス加工すること及び側板部７２の曲面部７２ｃを切削等により形成することにより、その形状が形成されているので、その構造が簡単であり、その製造費用の高額化を防止することができる。
【００８９】
したがって、本実施の形態に係るフロアパネル７０によれば、前記第３の実施の形態に係るフロアパネル６０と同様に、床面３との間の空間に配置された配線等のケーブルが、側板部７２の曲面部７２ｃとの接触により損傷を受けることを防止することができると共に、その構造が簡単であり、その製造費用の高額化をも防止することができる。
【００９０】
図７は、本発明の第５の実施の形態に係るフロアパネル８０について説明するために参照する図である。
【００９１】
本実施の形態に係るフロアパネル８０は、前記第４の実施の形態における側板部７２の先端部の曲面部７２ｃの代わりに、図７に示すような、側板部８２の先端部に傾斜面部８２ｃを備えている点において、前記第４の実施の形態に係るフロアパネル７０とは異なるものである。
【００９２】
すなわち、フロアパネル８０の側板部８２は、図７に示すように、その突出部８２ｂがその高さ途中部で折曲げられることなく、段差面８２ａより同図中下方に真直ぐ伸びており、その先端部に切削等により面取り加工が施されて、側板部８２の天板部４４から直角に折曲げられて連続する基端部の板部の平面に対して傾斜した傾斜面部８２ｃが形成されている点において、前記第４の実施の形態に係る側板部７２とは異なるものである。
【００９３】
本実施の形態に係るフロアパネル８０は、その側板部８２の先端部の傾斜面部８２ｃの外形輪郭が傾斜面状なので、床面３との間の空間に配置された配線等のケーブルが接触により損傷を受けることを防止することができる。
【００９４】
このような本実施の形態に係るフロアパネル８０は、所定形状に切断された板状部材をそのままプレス加工すること及び側板部８２の傾斜面部８２ｃを切削等により形成することにより、その形状が形成されているので、その構造が簡単であり、その製造費用の高額化を防止することができる。
【００９５】
したがって、本実施の形態に係るフロアパネル８０によれば、前記第４の実施の形態に係るフロアパネル７０と同様に、床面３との間の空間に配置された配線等のケーブルが、その側板部８２の傾斜面部８２ｃとの接触により損傷を受けることを防止することができると共に、その構造が簡単であり、その製造費用の高額化をも防止することができる。
【００９６】
図８及び図９は、本発明の第６の実施の形態に係るフロアパネル９０について説明するために参照する図である。
【００９７】
本実施の形態に係るフロアパネル９０は、１枚の金属製の板状部材をプレス加工することによりその形状が形成されており、図８に示すように、略長方形の上面９２ａを有する板状に形成された天板部９２と、この天板部９２の四辺より略垂直下方に折曲げられて形成された６つの側板部９４（図９参照）と、６つの側板部９４のそれぞれに折曲部９４ｃ（図９参照）を介して連続する６つの先端板部９６を備えて構成されている。
【００９８】
本実施の形態に係るフロアパネル９０の天板部９２は、前記第１の実施の形態に係るフロアパネル４０の天板部４４の上面４４ａの一辺と同じ長さを有する２辺と、天板部４４の上面４４ａの一辺の２倍の長さを有する２辺を備えている。
【００９９】
また、図８及び図９に示すように、本実施の形態に係るフロアパネル９０における天板部９２の長溝部９２ｂ及び開口部９２ｃ、側板部９４の段差面９４ａ、突出部９４ｂ及び折曲部９４ｃ、並びに先端板部９６の先端角部９６ａは、図１及び図２に示す前記第１の実施の形態に係るフロアパネル４０における天板部４４の長溝部４４ｂ及び開口部４４ｃ、側板部４６の段差面４６ａ、突出部４６ｂ及び折曲部４６ｃ、並びに先端板部４８の先端角部４８ａと同様のものである。
【０１００】
また、本実施の形態に係るフロアパネル９０は、前記第１の実施の形態に係るフロアパネル４０が２枚直列に並べられて６個の支持台６上に載置される代わりに、その１枚のフロアパネル９０が６個の支持台６上に載置されるようになっている。
【０１０１】
このため、本実施の形態に係るフロアパネル９０は、床面３との間の空間に配置された配線等のケーブルが、その先端板部９６の先端角部９６ａとの接触により損傷を受けて事故を起こすことを防止することができる。
【０１０２】
また、本実施の形態に係るフロアパネル９０は、所定形状に切断された板状部材をそのままプレス加工することにより、側板部９４の折曲部９４ｃを含めたその形状が形成されているので、その構造が簡単であり、その製造費用の高額化を防止することができる。
【０１０３】
したがって、本実施の形態に係るフロアパネル９０によれば、前記第１の実施の形態に係るフロアパネル４０と同様に、床面３との間の空間に配置された配線等のケーブルが、先端板部９６の先端角部９６ａとの接触により損傷を受けることを防止することができると共に、その構造が簡単であり、その製造費用の高額化をも防止することができる。
【０１０４】
また、本実施の形態に係るフロアパネル９０によれば、側板部９４の折曲部９４ｃが形成されることにより、その断面係数及び断面二次モーメントが高くなるので、フロアパネル９０のたわみを抑えることができる。
【０１０５】
図１０は、本発明の第７の実施の形態に係るフロアパネル１００について説明するために参照する図である。
【０１０６】
本実施の形態に係るフロアパネル１００は、前記第１の実施の形態における側板部４６の折曲部４６ｃ及び先端板部４８の代わりに、図１０に示すような、側板部１０２の折曲部１０２ｃ及び先端板部１０４を備えている点において、前記第１の実施の形態に係るフロアパネル４０とは異なるものである。
【０１０７】
また、フロアパネル１００の側板部１０２の段差面１０２ａ、突出部１０２ｂ及び先端板部１０４の先端角部１０４ａは、折曲部１０２ｃにより各々の位置関係が若干異なる点以外は、前記第１の実施の形態に係る側板部４６の段差面４６ａ、突出部４６ｂ及び先端板部４８の先端角部４８ａと同様のものである。
【０１０８】
フロアパネル１００の側板部１０２は、図１０に示すように、その突出部１０２ｂにおいて先端板部１０４が側板部１０２の外側になるよう折曲げられ、その折曲部１０２ｃの断面形状が略Ｕ字状に形成されている点において、前記第１の実施の形態に係る側板部４６とは異なるものである。
【０１０９】
フロアパネル１００の先端板部１０４は、側板部１０２の突出部１０２ｂが折曲部１０２ｃにおいて折曲げられることにより、その折曲部１０２ｃと連続する端部とは反対側の、先端角部１０４ａを有する先端部が、天板部４４の上面４４ａから折曲部１０２ｃの最下端までの距離（最短距離）より短い距離だけ天板部４４の上面４４ａから離れて配置されている。
【０１１０】
また、フロアパネル１００の先端板部１０４は、側板部１０２より図１０中左側（外側）に配置されている。
【０１１１】
したがって、フロアパネル１００は、従来のフロアパネル２の側板部１６の先端角部１６ｃに相当する部分である先端板部１０４の先端角部１０４ａが、折曲部１０２ｃの最下端より天板部４４の上面４４ａ寄りに配置されると共に、天板部４４から直角に折曲げられて連続する側板部１０２より外側に配置されている。
【０１１２】
また、フロアパネル４０は、図１８中の従来のフロアパネル２の先端角部１６ｃが形成された側板部１６の下端部に相当する部分には、図１０に示すように、その断面形状が略Ｕ字状でその外形輪郭が円弧曲面状の折曲部１０２ｃが形成されている。
【０１１３】
このため、本実施の形態に係るフロアパネル１００は、床面３との間の空間に配置された配線等のケーブルが、その先端板部１０４の先端角部１０４ａと接触することはないので、そのケーブルが損傷を受けて事故を起こすことを防止することができる。
【０１１４】
また、本実施の形態に係るフロアパネル１００は、所定形状に切断された板状部材をそのままプレス加工することにより、側板部１０２の折曲部１０２ｃを含めたその形状が形成されているので、その構造が簡単であり、その製造費用の高額化を防止することができる。
【０１１５】
したがって、本実施の形態に係るフロアパネル１００によれば、前記第１の実施の形態に係るフロアパネル４０と同様に、床面３との間の空間に配置された配線等のケーブルが、先端板部１０４の先端角部１０４ａとの接触により損傷を受けることを防止することができると共に、その構造が簡単であり、その製造費用の高額化をも防止することができる。
【０１１６】
また、本実施の形態に係るフロアパネル１００によれば、側板部１０２の折曲部１０２ｃが形成されることにより、その断面係数及び断面二次モーメントが高くなるので、フロアパネル１００のたわみを抑えることができる。
【０１１７】
図１１は、本発明の第８の実施の形態に係るフロアパネル１１０について説明するために参照する図である。
【０１１８】
本実施の形態に係るフロアパネル１１０は、前記第７の実施の形態における側板部１０２及び先端板部１０４の代わりに、図１１に示すような、側板部１１２及び先端板部１１４を備えている点において、前記第７の実施の形態に係るフロアパネル１００とは異なるものである。
【０１１９】
また、フロアパネル１１０の側板部１１２の段差面１１２ａ、突出部１１２ｂ、折曲部１１２ｃ及び先端板部１１４の先端角部１１４ａは、側板部１１２の形状により各々の位置関係が若干異なる点以外は、前記第７の実施の形態に係る側板部１０２の段差面１０２ａ、突出部１０２ｂ、折曲部１０２ｃ及び先端板部１０４の先端角部１０４ａと同様のものである。
【０１２０】
すなわち、フロアパネル１１０の側板部１１２は、図１１に示すように、天板部４４の辺部から折曲げられて、その下端部が上端部よりも図中右側（天板部４４の中央部寄り）になるように湾曲して形成されている点において、前記第７の実施の形態に係る側板部１０２とは異なるものである。
【０１２１】
また、フロアパネル１１０の先端板部１１４は、側板部１１２の突出部１１２ｂが折曲部１１２ｃにおいて折曲げられることにより、その折曲部１１２ｃと連続する端部とは反対側の、先端角部１１４ａを有する先端部が、天板部４４の上面４４ａから折曲部１１２ｃの最下端までの距離（最短距離）より短い距離だけ天板部４４の上面４４ａから離れて配置されている。
【０１２２】
また、フロアパネル１１０の先端板部１１４は、側板部１１２より図１１中左側（外側）に配置され、天板部４４の図１１中左端部よりも図中右側（天板部４４の中央部寄り）に配置されている。
【０１２３】
したがって、フロアパネル１１０は、従来のフロアパネル２の側板部１６の先端角部１６ｃに相当する部分である先端板部１１４の先端角部１１４ａが、折曲部１１２ｃの最下端より天板部４４の上面４４ａ寄りに配置されると共に、天板部４４から折曲げられて連続する側板部１１２より外側に配置されている。
【０１２４】
また、フロアパネル１１０は、図１８中の従来のフロアパネル２の先端角部１６ｃが形成された側板部１６の下端部に相当する部分には、図１１に示すように、その断面形状が略Ｕ字状でその外形輪郭が円弧曲面状の折曲部１１２ｃが形成されている。
【０１２５】
このため、本実施の形態に係るフロアパネル１１０は、床面３との間の空間に配置された配線等のケーブルが、その先端板部１１４の先端角部１１４ａと接触することはないので、そのケーブルが損傷を受けて事故を起こすことを防止することができる。
【０１２６】
また、本実施の形態に係るフロアパネル１１０は、所定形状に切断された板状部材をそのままプレス加工することにより、側板部１１２の折曲部１１２ｃを含めたその形状が形成されているので、その構造が簡単であり、その製造費用の高額化を防止することができる。
【０１２７】
したがって、本実施の形態に係るフロアパネル１１０によれば、前記第７の実施の形態に係るフロアパネル１００と同様に、床面３との間の空間に配置された配線等のケーブルが、先端板部１１４の先端角部１１４ａとの接触により損傷を受けることを防止することができると共に、その構造が簡単であり、その製造費用の高額化をも防止することができる。
【０１２８】
また、本実施の形態に係るフロアパネル１１０によれば、側板部１１２の折曲部１１２ｃが形成されることにより、その断面係数及び断面二次モーメントが高くなるので、フロアパネル１１０のたわみを抑えることができる。
【０１２９】
なお、本発明は、前記実施の形態にのみ限定されるものではなく、本発明の目的を達成することができる範囲内であれば、フロアパネル及びこのフロアパネルを用いたフリーアクセスフロアについて種々の変更が可能である。
【０１３０】
例えば、前記第１の実施の形態に係るフロアパネル４０は、その側板部４６の突出部４６ｂにおいて折曲げられて突出部４６ｂの下端部に折曲部４６ｃが形成されていたが、側板部４６の段差面４６ａより上方の高さ位置において側板部４６の長さ方向の全てにわたって折曲げられて、その側板部４６の下端部に折曲部が形成されるようになっていてもよい。この点及び以下の点については、他の実施の形態に係るフロアパネルについても同様である。
【０１３１】
また、前記第１の実施の形態に係るフロアパネル４０は、その側板部４６及び先端板部４８のそれぞれの長さ中央部の断面形状が一本の直線状に形成されていたが、この形状に限定されず、その長さ中央部の途中において折曲り、その長さ中央部の断面形状が複数の直線が互いの端部において連続する稲妻形に形成されていたり、その長さ中央部の断面形状が１又は複数の円弧を有する湾曲形状に形成されていてもよい。
【０１３２】
また、前記第１の実施の形態に係るフロアパネル４０は、先端板部４８の先端角部４８ａを有する先端部が、天板部４４の上面４４ａから折曲部４６ｃの最下端までの距離（最短距離）より短い距離だけ天板部４４の上面４４ａから離れて配置されていたが、この形状に限定されず、天板部４４の上面４４ａから折曲部４６ｃの最下端までの距離より長い距離だけ天板部４４の上面４４ａから離れて配置されていてもよい。
【０１３３】
また、前記第１の実施の形態に係るフロアパネル４０は、床面３上に連結部材８を介して立設する支持台６と共にフリーアクセスフロア４２を構成するようになっていたが、連結部材８を有さない構成にして、支持台６が直接床面３上に立設するようになっていてもよい。
【０１３４】
また、前記第１の実施の形態に係るフロアパネル４０は、段差面４６ａが形成されたその側板部４６の長さ方向の端部が、支持台６の溝部６ｂに上方から嵌入して、天板部４４の裏面が支持台６の上端面６ａに接触することにより、床面３上の所定の高さ位置に着脱自在に支持されていたが、この形態に限定されず、支持台６に支持されるようになっていればよい。
【０１３５】
また、前記第１の実施の形態における支持台６は、溝部６ｂの長さ途中部にリブ６ｃが形成されていたが、フロアパネル４０の側板部４６の端部が支持台６の溝部６ｂに嵌入することができるようになっていれば、リブ６ｃを有さない構成になっていてもよい。
【符号の説明】
【０１３６】
２  フロアパネル
３  床面
４  フリーアクセスフロア
６  支持台
６ａ  上端面
６ｂ  溝部
６ｃ  リブ
８  連結部材
１０  連結部
１２  支持部
１４  天板部
１４ａ  上面
１４ｂ  長溝部
１４ｃ  開口部
１６  側板部
１６ａ  段差面
１６ｂ  突出部
１６ｃ  先端角部
４０  フロアパネル
４２  フリーアクセスフロア
４４  天板部
４４ａ  上面
４４ｂ  長溝部
４４ｃ  開口部
４６  側板部
４６ａ  段差面
４６ｂ  突出部
４６ｃ  折曲部
４８  先端板部
４８ａ  先端角部
５０  フロアパネル
５２  側板部
５２ａ  段差面
５２ｂ  突出部
５２ｃ  折曲部
５４  先端板部
５４ａ  先端角部
６０  フロアパネル
６２  側板部
６２ａ  段差面
６２ｂ  突出部
６２ｃ  折曲部
６４  先端板部
６４ａ  先端角部
７０  フロアパネル
７２  側板部
７２ａ  段差面
７２ｂ  突出部
７２ｃ  曲面部
８０  フロアパネル
８２  側板部
８２ａ  段差面
８２ｂ  突出部
８２ｃ  テーパ面部
９０  フロアパネル
９２  天板部
９２ａ  上面
９２ｂ  長溝部
９２ｃ  開口部
９４  側板部
９４ａ  段差面
９４ｂ  突出部
９４ｃ  折曲部
９６  先端板部
９６ａ  先端角部
１００  フロアパネル
１０２  側板部
１０２ａ  段差面
１０２ｂ  突出部
１０２ｃ  折曲部
１０４  先端板部
１０４ａ  先端角部
１１０  フロアパネル
１１２  側板部
１１２ａ  段差面
１１２ｂ  突出部
１１２ｃ  折曲部
１１４  先端板部
１１４ａ  先端角部
【要約】
フロアパネルと床面との間の空間に配置された配線等のケーブルが、フロアパネルの先端角部との接触により損傷を受けることを防止することができると共に、その構造が簡単であり、その製造費用の高額化をも防止することができるフロアパネルを提供する。
平面部とこの周部に四辺を有する板状の天板部４４と、前記四辺それぞれから折曲げられて形成された複数の側板部４６を備え、支持台６に支持されてフリーアクセスフロア４２を構成するフロアパネル４０であって、側板部４６が折曲げられて側板部４６の下端部に折曲部４６ｃが形成された。【図１】
0005721201.tif 000002
【図２】
0005721201.tif 000003
【図３】
0005721201.tif 000004
【図４】
0005721201.tif 000005
【図５】
0005721201.tif 000006
【図６】
0005721201.tif 000007
【図７】
0005721201.tif 000008
【図８】
0005721201.tif 000009
【図９】
0005721201.tif 000010
【図１０】
0005721201.tif 000011
【図１１】
0005721201.tif 000012
【図１２】
0005721201.tif 000013
【図１３】
0005721201.tif 000014
【図１４】
0005721201.tif 000015
【図１５】
0005721201.tif 000016
【図１６】
0005721201.tif 000017
【図１７】
0005721201.tif 000018
【図１８】
0005721201.tif 000019